(57)【要約】  【課題】  握りやすい蓋取り具を提供すること。  【解決手段】  柄１０１の一端に、リフト用アーム１０２と、二つの支持用アーム１０３と、が三又状に形成され、リフト用アーム１０２を容器の蓋の上面に位置する取っ手と蓋の上面との間に挿入し、二つの支持用アーム１０３で容器の蓋の上面を支えることにより、この蓋を持ち上げることができるようにされている蓋取り具１００であって、柄１０１は、所定位置において、リフト用アーム１０２が形成されている側に折り曲げられていることを特徴とする蓋取り具１００を提供する。  【選択図】  図１
2005034351.tif 000002
【特許請求の範囲】
【請求項１】
柄の一端に、リフト用アームと、二つの支持用アームと、が三又状に形成され、前記リフト用アームを容器の蓋の上面に位置する取っ手と前記上面との間に挿入し、二つの前記支持用アームで前記上面を支えることにより、前記蓋を持ち上げることができるようにしている蓋取り具であって、
前記柄は、所定位置において、前記リフト用アームが形成されている側に折り曲げられていることを特徴とする蓋取り具。
【請求項２】
前記柄は、前記柄同士の間の角度が鋭角となるように折り曲げられていることを特徴とする請求項１に記載の蓋取り具。
【請求項３】
少なくとも前記リフト用アームは、横断面が矩形状に形成されていることを特徴とする請求項１に記載の蓋取り具。
【請求項４】
前記柄には、前記リフト用アームが形成されている側とは反対側に突出片が形成されており、
前記突出片を、前記蓋の側面に位置する取っ手と前記側面との間に挿入することにより、前記蓋を持ち上げることができるようにしたことを特徴とする請求項１乃至３の何れか一項に記載の蓋取り具。
【請求項５】
前記突出片は、前記柄との間の角度が鋭角となるように形成されていることを特徴とする請求項４に記載の蓋取り具。
【発明の詳細な説明】
【技術分野】
【０００１】
本発明は、蓋取り具に関する。特に、容器の蓋の上面に位置する取っ手に引っ掛けて蓋を持ち上げることができるようにされている蓋取り具に関する。
【背景技術】
【０００２】
容器の蓋、特に加熱調理容器の蓋は、この加熱調理容器を加熱することにより熱を帯びる場合があるため、この蓋を持ち上げるための蓋取り具が使用される。
【０００３】
従来の蓋取り具３００、特に、容器の蓋の上面に位置する取っ手に引っ掛けて蓋を持ち上げることができるようにされている蓋取り具３００は、図４に表されているように、柄３０１の一端に、リフト用アーム３０２と、二つの支持用アーム３０３と、が三又状に形成され、このリフト用アーム３０２を容器の蓋の上面に位置する取っ手と蓋の上面との間に挿入し、二つの支持用アーム３０３で容器の蓋の上面を支えることにより、この蓋を持ち上げることができるようにされており、この柄３０１は、直線状に形成されていた。
【０００４】
また、従来の蓋取り具は、図４で表されているように、リフト用アーム３０２が丸棒で形成されており、横断面がほぼ円形の形状を有していた。
【発明の開示】
【発明が解決しようとする課題】
【０００５】
しかしながら、柄が直線状に形成されていたのでは、この柄の一端に備えられているリフト用アームを蓋の上面に位置する取っ手とこの上面との間に挿入して蓋を持ち上げる場合には、力を入れるために親指の方が下になるように腕を捻らなければならず、不便であった。
【０００６】
また、従来の蓋取り具のように少なくともリフト用アームを丸棒で形成し、横断面がほぼ円形となるように形成した場合には、このリフト用アームを取っ手と蓋の上面との間に挿入したときに、リフト用アームと取っ手の内壁面との接触面積が小さいため、このリフト用アームが滑ってしまい、持ち上げた蓋を落としてしまうことがあった。
【０００７】
そこで、本発明は、柄の一端に備えられているリフト用アームを蓋の上面に位置する取っ手と蓋の上面との間に挿入して蓋を持ち上げる場合に、腕を捻ることなく力を入れることができる蓋取り具を提供することを目的とする。
【０００８】
また、本発明は、容器の蓋の上面に位置する取っ手と蓋の上面との間に挿入したリフト用アームが滑ってしまうことを防止することを目的とする。
【課題を解決するための手段】
【０００９】
以上の課題を解決するため、本発明は、柄の一端に、リフト用アームと、二つの支持用アームと、が三又状に形成され、前記リフト用アームを容器の蓋の上面に位置する取っ手と前記上面との間に挿入し、二つの前記支持用アームで前記上面を支えることにより、前記蓋を持ち上げることができるようにしている蓋取り具であって、前記柄は、所定位置において、前記リフト用アームが形成されている側に折り曲げられていることを特徴とする蓋取り具を提供する。
【００１０】
本発明にかかる蓋取り具では、柄の一端に、リフト用アームと、二つの支持用アームと、が三又状に形成されている。
【００１１】
このリフト用アーム及び二つの支持用アームの形状は、リフト用アームを容器の蓋の上面に位置する取っ手とこの上面との間に挿入した場合に、二つの支持用アームが、この蓋の上面に接触し支持することができるような態様で自由に選択することができる設計事項である。
【００１２】
リフト用アーム及び二つの支持用アームが一端に形成されている柄は、所定の位置で、リフト用アームが形成されている側に折り曲げられている。
【００１３】
このようにして折り曲げられた柄の折り曲げ部と、三又状に形成されている側とは反対側の柄の端部と、の間の柄の部分を握ることで、親指が下になるように捻っていた腕の捻りの度合いを軽くすることができ、容易にこの部分の柄をつかみ、蓋を持ち上げることができるようになる。
【００１４】
なお、柄をどの程度折り曲げるかは、適時選択することができる設計事項であるが、例えば、柄を折り曲げた部分において、柄同士の間の角度が鋭角となるように折り曲げることが望ましい。
【００１５】
このような角度で折り曲げることにより、この折り曲げ部と、三又状に形成されている柄の端部とは反対の側の端部と、の間の部分を握り、容易に力を入れることができるようになる。
【００１６】
また、少なくともリフト用アームにつき、横断面が矩形状になるように形成することで、このリフト用アームと蓋の上面に位置する取っ手の内壁と間の接触面積が広くなるため、蓋を持ち上げた際にリフト用アームが滑ってしまい、持ち上げた蓋を落としてしまうことが防止できる。
【００１７】
また、柄には、このリフト用アームが形成されている側とは反対側に突出片を形成しておき、この突出片を、蓋の側面に位置する取っ手と蓋の側面との間に挿入することにより、蓋を持ち上げることができるようにすることも可能である。
【００１８】
このような、突出片を形成しておくことで、容器の蓋の上面に取っ手がないような場合でも、蓋の側面に取っ手が形成されており、この取っ手と蓋の側面との間に貫通孔が形成されているようなときには、本発明に係る蓋取り具を使用することができるようになる。
【００１９】
この突出片の形状については、蓋の側面に位置する取っ手と蓋の側面との間に挿入し、引っ掛けることができる範囲で自由に設計することができるものであり、また、この突出片と柄との間の角度についても適時選択することができる設計事項であるが、例えば、この突出片と柄との間の角度が鋭角となるようにこの突出片を形成することができる。
【発明の効果】
【００２０】
以上のように、本発明によれば、柄を握る際に腕を捻る必要がなく便利である。
【００２１】
また、リフト用アームとは反対側の柄に突出片を形成しておくことにより、蓋の側面に取っ手が形成されている場合でも、この蓋取り具を使用することができるようになる。
【発明を実施するための最良の形態】
【００２２】
図１は、本発明の実施形態に係る蓋取り具１００の上方斜視図である。
【００２３】
蓋取り具１００は、柄１０１の一端にリフト用アーム１０２と、二つの支持用アーム１０３と、が形成されている。
【００２４】
図２に表されているように、リフト用アーム１０２は、容器の蓋１０４の上面に位置する取っ手１０５と蓋１０４の上面との間に挿入することができるように形成されている。
【００２５】
また、二つの支持用アーム１０３は、リフト用アーム１０２を蓋１０４の上面に位置する取っ手１０５と蓋１０４の上面との間に挿入した場合に、この蓋１０４の上面に接触し、蓋１０４を支持し、蓋１０４を安定して持ち上げることができるようにしている。
【００２６】
柄１０１は、所定の位置でリフト用アーム１０２の側、即ち、図１におけるＸの方向に折り曲げられている。
【００２７】
この際、柄１０１同士の間の角度Ａが、鋭角となるようにすることが望ましい。
【００２８】
この点、本実施形態では、柄１０１同士の角度Ａは、８０度の角度となるように形成している。
【００２９】
また、柄１０１をどの位置で折り曲げるかは、持ち上げる蓋の大きさや重さ、蓋取り具１００自体の大きさや重さ等を考慮して適時選択することができるものであり、本実施形態においては、柄１０１のほぼ中央部付近で折り曲げることとしている。
【００３０】
また、本実施形態では、柄１０１の三又状に形成されている側とは反対側の端部１０６と、折り曲げ部１０７と、の間には、柄１０１よりも太くなるように形成された把手部１０８が設けられており、このような把手部１０８を設けることにより、握りやすくなる。
【００３１】
さらに、本実施形態では、リフト用アーム１０２を断面がほぼ矩形状となる板状部材により構成しているため、取っ手１０５との接触面積が大きくなり、リフト用アーム１０２により蓋１０４を安定して持ち上げることができるようになる。
【００３２】
なお、本実施形態に係る蓋取り具１００においては、図１のように、リフト用アーム１０２が二つの支持用アーム１０３よりも上方に位置するように床等に置いた場合に、この蓋取り具１００が側方に倒れてしまうことを防止するため、柄１０１から側方に突出するスタンド１０９が設けられている。
【００３３】
このスタンド１０９が設けられていることにより、例えば、リフト用アーム１０２を取っ手１０５と蓋１０４との間に挿入したまま床等に置く場合でも、スタンド１０９が蓋取り具１００の支えとなり、蓋取り具１００が側方に倒れてしまうことを防止することができるようになる。
【００３４】
また、本実施形態に係る蓋取り具１００では、リフト用アーム１０２の反対側に突出片１１０が形成されている。
【００３５】
この突出片１１０は、柄１０１との間の角度Ｂが鋭角となるように、本実施形態では、柄１０１との間の角度Ｂが４５°となるように形成している。
【００３６】
このような突出片１１０をリフト用アーム１０２とは反対側の柄１０１に設けたので、図３に表されているように、突出片１１０を蓋２０４の側面に設けられている取っ手２０５と蓋２０４の側面との間に挿入することにより、この突出片１１０が取っ手２０５に引っ掛かり、蓋２０４を持ち上げることができるようになる。
【００３７】
なお、突出片１１０は、リフト用アーム１０２とは反対側の柄１０１の任意の位置に形成することができるが、柄１０１の三又状に形成されている一端に近い位置に形成することで、リフト用アーム１０２や支持用アーム１０３が容器や地面等にぶつかってしまうことがなく好適である。
【００３８】
以上のように本発明の実施形態に係る蓋取り具１００を構成したので、柄１０１の一端に形成されているリフト用アーム１０２を蓋１０４の上面に形成されている取っ手１０５と蓋１０４の上面との間に挿入し、柄１０１の他端側に設けられている把手部１０８をリフト用アーム１０２が設けられている側とは反対側、即ち図２におけるＹの方向に力を入れることにより、蓋１０４を容易に持ち上げることができるようになる。
【００３９】
また、柄１０１は、所定の位置で折り曲げられているため、把手部１０８を握る場合に、腕を捻る必要がなく、容易に把手部１０８を握ることができるようになる。
【００４０】
さらに、突出片１１０を蓋２０４の側面に設けられている取っ手２０５と蓋２０４の側面との間に挿入し引っ掛けることで、蓋２０４を持ち上げることができるようになる。
【図面の簡単な説明】
【００４１】
【図１】蓋取り具１００の上方斜視図。
【図２】蓋取り具１００のリフト用アーム１０２を蓋１０４の取っ手１０５に引っ掛けた際の上方斜視図。
【図３】蓋取り具１００の突出片１１０を蓋２０４の取っ手２０５に引っ掛けた際の側面図。
【図４】従来の蓋取り具の上方斜視図。
【符号の説明】
【００４２】
１００  蓋取り具
１０１  柄
１０２  リフト用アーム
１０３  支持用アーム
１０４、２０４  蓋
１０５、２０５  取っ手
１０８  把手部
１０９  スタンド
１１０  突出片
【図１】
2005034351.tif 000003
【図２】
2005034351.tif 000004
【図３】
2005034351.tif 000005
【図４】
2005034351.tif 000006